(57)【要約】【課題】左右何れの側からも開閉可能な扉において、使用者がより扉を開けやすい把持部の構成を提供する。【解決手段】冷蔵庫１の冷蔵室扉３１１は、左右両開きの扉開閉機構を有している。冷蔵室扉３１１の左右両側の端部には、冷蔵室扉３１１を開閉する際の取っ手構造として機能する把持部３３４ａおよび３３４ｂが設けられている。把持部３３４ａおよび３３４ｂは、扉の前方側から手を掛けるように構成されている。把持部３３４ａおよび３３４ｂは、扉の後方側から前方側へ向かって、扉の中央部の方へ傾斜する第１傾斜面３４４を有している。【選択図】図７
2020133919.tif 000002
【特許請求の範囲】
【請求項１】
左右何れの側からも開閉可能な扉の取っ手構造であって、
前記扉の左右両端部にそれぞれ配置されている把持部を有しており、
前記把持部は、前記扉の前方側から手を掛けるように構成されており、
前記把持部は、前記扉の後方側から前方側へ向かって、前記扉の中央部の方へ傾斜する傾斜面を有している、取っ手構造。
【請求項２】
前記傾斜面は、略板状の部材で形成されており、
前記略板状の部材の厚さは、前記扉の前方側よりも後方側の方が少なくとも部分的に厚くなっている、請求項１に記載の取っ手構造。
【請求項３】
前記把持部は、前記扉の前面側に形成されている開口部を有しており、
前記傾斜面は、前記開口部の内側の面によって形成されており、
前記傾斜面に対向する面は、前記扉の前面に対して９０度よりも大きい角度を有して傾斜している、請求項１または２に記載の取っ手構造。
【請求項４】
本体部と、
前記本体部に取り付けられ、左右何れの側からも開閉可能な扉と
を備え、
前記扉は、請求項１から３の何れか１項に記載の取っ手構造を有している、冷蔵庫。
【請求項５】
冷蔵庫の扉に着脱可能に構成されている、請求項１または２に記載の取っ手構造。
【発明の詳細な説明】
【技術分野】
【０００１】
本発明は、左右何れの側からも開閉することのできる扉の取っ手構造、およびこの取っ手構造を有する扉を備えている冷蔵庫に関する。
【背景技術】
【０００２】
冷蔵庫の扉の開閉機構として、左右どちらからも開閉可能な構造を有するものがある。例えば、特許文献１には、扉側又は扉が取り付けられる本体側の左右両端部に扉の中心線に関して対称に設けられた一対のスライドカム部材と、前記本体側又は扉側で前記各スライドカム部材に対応する部位に対称に設けられた一対のロックカム部材と、該ロックカム部材に設けられた軸孔を貫通する状態で取り付けられたヒンジピンとを備えた左右開きの扉開閉機構が開示されている。前記スライドカム部材は、前記ヒンジピンと水平方向で係脱自在な第１溝カムと、第１溝カムと連続し該第１溝カムに案内されたヒンジピンとの係止を扉閉止時に行なう第１係止位置から更に扉開成時にスライドカム部材の回転軸となる第２係止位置まで移動可能な第２溝カムとを有するとともに、前記第２溝カムの外周に設けられた第１カム突起を具備しており、前記ロックカム部材は第１係止位置で前記第１カム突起と係合関係になる第２カム突起を具備している。
【０００３】
特許文献１の扉開閉機構は、扉が右側から開き始めた場合、扉が開放側（例えば、右側）にスライドすることにより、軸支側（例えば、左側）のヒンジピンが第２溝カムをスライドして第２係止位置へ移動することによって、左側の回転軸から扉が外れないような位置関係に構成されている。これにより、使用者が扉を手前に引いても扉が本体から脱落しないような構成となっている。
【先行技術文献】
【特許文献】
【０００４】
【特許文献１】特許第３４７９４１０号公報
【発明の概要】
【発明が解決しようとする課題】
【０００５】
このような扉開閉機構では、使用者が扉を開けようとする際には、開けたい側へ扉をスライドさせる必要がある。しかし、使用者は、扉を開ける際に扉を前方に引っ張ることが自然であり、左右にスライドさせる動作をしにくい傾向にある。
【０００６】
そこで、本発明では、左右何れの側からも開閉可能な扉において、使用者がより扉を開けやすい把持部の構成を提供することを目的とする。
【課題を解決するための手段】
【０００７】
本発明の一局面にかかる扉の取っ手構造は、左右何れの側からも開閉可能な扉の取っ手構造である。この取っ手構造において、前記扉の左右両端部にそれぞれ配置されている把持部を有しており、前記把持部は、前記扉の前方側から手を掛けるように構成されており、前記把持部は、前記扉の後方側から前方側へ向かって、前記扉の中央部の方へ傾斜する傾斜面を有している。
【０００８】
上記の本発明の一局面にかかる扉の取っ手構造において、前記傾斜面は、略板状の部材で形成されており、前記略板状の部材の厚さは、前記扉の前方側よりも後方側の方が少なくとも部分的に厚くなっていてもよい。
【０００９】
上記の本発明の一局面にかかる扉の取っ手構造において、前記把持部は、前記扉の前面側に形成されている開口部を有していてもよい。そして、前記傾斜面は、前記開口部の内側の面によって形成されており、前記傾斜面に対向する面は、前記扉の前面に対して９０度よりも大きい角度を有して傾斜していてもよい。
【００１０】
本発明のもう一つの局面にかかる冷蔵庫は、本体部と、前記本体部に取り付けられ、左右何れの側からも開閉可能な扉とを備えている。そして、前記扉は、上記の本発明の一局面にかかる取っ手構造を有している。
【００１１】
上記の本発明の一局面にかかる扉の取っ手構造は、冷蔵庫の扉に着脱可能に構成されていてもよい。
【発明の効果】
【００１２】
本発明の一局面にかかる扉の取っ手構造は、上述したような傾斜面を有する把持部が設けられていることで、使用者が扉を開ける際の自然な動作によって、扉を開けたい側に扉をスライドさせることができる。したがって、本発明の一局面によれば、左右何れの側からも開閉可能な扉において、使用者がより扉を開けやすい把持部の構成を提供することができる。
【図面の簡単な説明】
【００１３】
【図１】本発明の一実施形態に係る冷蔵庫の外観構成を示す正面図である。
【図２Ａ】図１に示す冷蔵庫に備えられた冷蔵室扉部分のＡ−Ａ線部分の構成を示す断面図である。図２Ａから図２Ｃでは、左側から冷蔵室扉が開けられる様子を示す。
【図２Ｂ】図１に示す冷蔵庫に備えられた冷蔵室扉部分のＡ−Ａ線部分の構成を示す断面図である。図２Ａから図２Ｃでは、左側から冷蔵室扉が開けられる様子を示す。
【図２Ｃ】図１に示す冷蔵庫に備えられた冷蔵室扉部分のＡ−Ａ線部分の構成を示す断面図である。図２Ａから図２Ｃでは、左側から冷蔵室扉が開けられる様子を示す。
【図３】冷蔵室扉が開けられるときのカム機構の動作を示す模式図である。
【図４】冷蔵室扉が開けられるときのカム機構の動作を示す模式図である。
【図５】冷蔵室扉が開けられるときのカム機構の動作を示す模式図である。
【図６】冷蔵室扉が開けられるときのカム機構の動作を示す模式図である。
【図７】第１の実施形態にかかる冷蔵室扉の外観構成を示す斜視図である。
【図８】第１の実施形態にかかる冷蔵室扉の外観構成を示す正面図である。
【図９】第１の実施形態にかかる冷蔵室扉の把持部の構成を示す断面図である。
【図１０】図９に示す冷蔵室扉の左側の把持部周辺を拡大して示す断面図である。
【図１１】第２の実施形態にかかる冷蔵室扉の把持部の構成を示す断面図である。
【図１２】第３の実施形態にかかる冷蔵室扉の左側の把持部の構成を示す断面図である。
【図１３】第４の実施形態にかかる冷蔵室扉の把持部の構成を示す断面図である。
【図１４】第５の実施形態にかかる冷蔵庫に備えられた冷蔵室扉と、扉に取り付けられる取っ手部材の外観構成を示す斜視図である。
【図１５】第５の実施形態にかかる冷蔵庫の外観構成を示す正面図である。この図では、冷蔵庫から取っ手部材が取り外された状態を示す。
【図１６】（ａ）は、第５の実施形態にかかる冷蔵庫に備えられた冷蔵室扉の外観構成を示す正面図である。（ｂ）は、（ａ）に示す冷蔵室扉のＡ−Ａ線部分の構成を示す断面図である。
【図１７】（ａ）は、第６の実施形態にかかる冷蔵庫に備えられた冷蔵室扉の外観構成を示す正面図である。（ｂ）は、（ａ）に示す冷蔵室扉のＡ−Ａ線部分の構成を示す断面図である。
【図１８】図１７（ａ）に示す冷蔵室扉に取り付けられている取っ手部材を示す斜視図である。
【図１９】（ａ）は、第７の実施形態にかかる冷蔵庫に備えられた冷蔵室扉の外観構成を示す正面図である。（ｂ）は、（ａ）に示す冷蔵室扉のＡ−Ａ線部分の構成を示す断面図である。
【図２０】図１９（ａ）に示す冷蔵室扉に取り付けられている取っ手部材を示す斜視図である。
【発明を実施するための形態】
【００１４】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１５】
〔第１の実施形態〕
（冷蔵庫の全体構成）
本実施形態では、左右両開きの冷蔵室扉を備えている冷蔵庫３０１を例に挙げて説明する。冷蔵庫３０１は、扉開閉機構１０を備えている。図１には、本実施形態にかかる冷蔵庫３０１の外観を示す。冷蔵庫３０１は、主として、本体部２と、冷蔵室扉３１１などの各種扉とで構成されている。本体部２は、断熱箱体でその外形が形成されている。冷蔵庫３０１の上段には冷蔵室が配置されている。冷蔵室の正面の開口部には、冷蔵室扉３１１が取り付けられている。
【００１６】
また、冷蔵庫３０１には、冷蔵室以外に、第２の冷蔵室（野菜室）、冷凍室、第２の冷凍室、および製氷室などが備えられている。中段の第２の冷蔵室（野菜室）には、引き出し式の冷蔵室扉１３が設けられている。下段の第１の冷凍室には、引き出し式の冷凍室扉１４が設けられている。また、中段の製氷室および第２の冷凍室には、引き出し式の製氷室扉１５または冷凍室扉１６がそれぞれ設けられている。
【００１７】
なお、冷蔵庫３０１における各貯蔵室の構成や配置は、上記のものに限定はされない。各貯蔵室の構成および配置は、冷蔵庫の容量、用途などに応じて適宜変更することができる。
【００１８】
本実施形態では、扉が設けられている面を冷蔵庫３０１の前面（正面）とする。そして、前面を基準にして、冷蔵庫３０１を通常の状態で設置した場合に存在する位置に基づいて、冷蔵庫３０１の本体部２の各面を、上面、側面、背面、及び底面とする。また、冷蔵庫３０１を正面側から見た状態で、左に位置する側を冷蔵庫３０１（または冷蔵室扉３１１）の左側と呼び、右に位置する側を冷蔵庫３０１（または冷蔵室扉３１１）の右側と呼ぶ。
【００１９】
冷蔵室扉３１１は、左右何れの端部からも開閉することのできる両開き式の扉である。そのため、冷蔵室扉３１１の左右両側の端部には、冷蔵室扉３１１を開閉する際の取っ手構造として機能する把持部がそれぞれ設けられている。具体的には、左側の把持部３３４ａは、冷蔵室扉３１１の左側端部１１ａに設けられている。また、右側の把持部３３４ｂは、冷蔵室扉３１１の右側端部１１ｂに設けられている。使用者が冷蔵室扉３１１を左側から開ける際には、把持部３３４ａに手を掛けて、冷蔵室扉３１１の左側端部１１ａを開放する。同様に、使用者が冷蔵室扉３１１を右側から開ける際には、把持部３３４ｂに手を掛けて、冷蔵室扉３１１の右側端部１１ｂを開放する。
【００２０】
また、冷蔵室扉３１１には、タッチセンサ（接触検知部）９１（具体的には、左側タッチセンサ９１ａおよび右側タッチセンサ９１ｂ）がそれぞれ設けられている。左側タッチセンサ９１ａは、冷蔵室扉３１１の前面部１１ｃの左側の端部近傍に配置されている。右側タッチセンサ９１ｂは、冷蔵室扉３１１の前面部１１ｃの右側の端部近傍に配置されている。タッチセンサ９１は、人体等が接触したことを検知する。そして、左側タッチセンサ９１ａに使用者の手などが触れると、冷蔵室扉３１１が左側端部１１ａから開くように制御される。また、右側タッチセンサ９１ｂに使用者の手などが触れると、冷蔵室扉３１１が右側端部１１ｂから開くように制御される。
【００２１】
冷蔵室扉３１１の前面部１１ｃの左側には、表示装置５０が設置されている。表示装置５０は、例えば、液晶ディスプレイ、有機ＥＬディスプレイなどで構成することができる。表示装置５０には、例えば、冷蔵庫の運転情報及び制御情報、庫内在庫情報、カレンダ情報、レシピ情報、伝言情報などを表示させることができる。
【００２２】
（扉開閉機構について）
続いて、冷蔵庫３０１に取り付けられた冷蔵室扉３１１の扉開閉機構１０について説明する。図２Ａから図２Ｃには、本体部２（具体的には、冷蔵室の開口部）に取り付けられた冷蔵室扉３１１が左側から開けられるときの各部材の動作を示す。これらの図は、冷蔵室扉３１１の底面部（すなわち、図１のＡ−Ａ線部分）に設けられたカム機構２０（具体的には、左側のカム機構２０ａおよび右側のカム機構２０ｂ）を示す図である。なお、カム機構２０ａおよび２０ｂは、例えば、特許文献１、または他の特許文献（特許第３７６１４１０号公報）などに開示された従来公知のカム機構の構成を適用することができる。
【００２３】
カム機構２０ａおよび２０ｂは、冷蔵室扉３１１の左右両側に対称に設けられており、冷蔵室扉３１１と本体部２との係合および離脱を行う。カム機構２０ａおよび２０ｂは、冷蔵室扉３１１側に設けられたスライドカム部材と、本体部２側に設けられたロックカム部材とを有している。なお、別の態様では、本体部２側にスライドカム部材が設けられ、冷蔵室扉３１１側にロックカム部材が設けられていてもよい。
【００２４】
スライドカム部材は、冷蔵室扉３１１の底部の左右両端部にそれぞれ設けられている。スライドカム部材は、第１溝カム２１、第２溝カム２２、およびスライド外カム２５などで構成されている。これらの各部材は、冷蔵室扉３１１の中心線Ｏに関して対称に設けられている。
【００２５】
第１溝カム２１および第２溝カム２２は、冷蔵室扉３１１の底部の左右両側の端部付近に配置されている。第１溝カム２１および第２溝カム２２は、本体部２側に設けられたヒンジピン３８を相対的に摺動案内する。第１溝カム２１および第２溝カム２２は、略Ｌ字型に連続した凹形状を有している。
【００２６】
スライド外カム２５は、第１溝カム２１および第２溝カム２２のやや内側に形成された溝部２７内に配置されている。スライド外カム２５は、本体部２側に設けられたロック外カム３７に対応する位置に配置されており、扉開閉動作時のロック外カム３７の移動を規制する。
【００２７】
また、冷蔵室扉３１１には、開閉動作を補助するための部材として、ガイドローラ２８が備えられている。ガイドローラ２８は、冷蔵室扉３１１の中心線Ｏに関して対称に設けられている。各ガイドローラ２８は、スライド外カム２５のやや内側に配置されている。
【００２８】
ガイドローラ２８は、上段の冷蔵室と中段の第２の冷蔵室（野菜室）などとを仕切る仕切壁の前端に配置されたヒンジアングル３上を転動し、冷蔵室扉３１１の開閉動作を補助する。また、ヒンジアングル３には後方に向かって下方に傾斜する傾斜面が左右にわたって設けられており、ガイドローラ２８がこの傾斜面を下ることで冷蔵室扉３１１が閉鎖方向に付勢される自閉機構（重力を利用した自閉機構）を成している。
【００２９】
ロックカム部材は、本体部２側に設けられている。ロックカム部材は、各スライドカム部材に対応する位置にそれぞれ配置されている。本実施形態では、ロックカム部材は、ヒンジアングル３上に設けられている。ロックカム部材は、ヒンジピン３８、ロック外カム３７、およびリブ３９などで構成されている。
【００３０】
ヒンジピン３８は、冷蔵室扉３１１の枢支軸となる。リブ３９は、ヒンジピン３８と同心の円弧状の部材である。ロック外カム３７は、ヒンジピン３８から所定距離離れて配置され、冷蔵室扉３１１側のスライド外カム２５と摺動して冷蔵室扉３１１を案内する。
【００３１】
以上のような構成を有するスライドカム部材とロックカム部材とは互いに係合して、冷蔵室扉３１１の開閉を案内するカム機構２０を構成する。
【００３２】
続いて、図２Ａから図２Ｃ、並びに図３から図６を参照しながら、冷蔵室扉３１１が開けられる際のカム機構２０の動作を説明する。図２Ａから図２Ｃには、冷蔵室扉３１１が左側端部１１ａから開けられる様子を順に示す。また、図３から図６には、冷蔵室扉３１１が左側端部１１ａから開けられる際のカム機構２０ａおよび２０ｂの動作を順に示す。
【００３３】
冷蔵室扉３１１が閉鎖状態のときには、図２Ａおよび図３に示すように、左右のカム機構２０ａおよび２０ｂの第２溝カム２２の内側端部付近（第１溝カム２１との境界付近）に、ヒンジピン３８が位置する。このとき、左右のカム機構２０ａおよび２０ｂと各ヒンジピン３８との位置関係はほぼ対称な状態となっている。この状態を、第１係止位置とする。第１溝カム２１は冷蔵庫３０１の後方へいくほど冷蔵室扉３１１の中央側に傾斜しているため、冷蔵室扉３１１の両側を引くことによる脱落が防止される。
【００３４】
続いて、使用者が、冷蔵室扉３１１の左側端部１１ａの把持部３３４ａに手をかけて力を掛けると、把持部３３４ａには外方向（この場合は、左方向）への応力がかかる。このとき、第２溝カム２２によりヒンジピン３８が軌道規制されるため、左側のカム機構２０ａでは、ヒンジピン３８が第１溝カム２１へと相対的に案内されるとともに、右側のカム機構２０ｂでは、ヒンジピン３８が第２溝カム２２によって相対的に端部方向（この場合は、右方向）に案内される。また、ロック外カム３７とスライド外カム２５とが摺動する（図２Ｂおよび図４参照）。これにより、冷蔵室扉３１１は左方向にスライド移動する。
【００３５】
さらに把持部３３４ａを引くと、左側のカム機構２０ａでは、ヒンジピン３８が第１溝カム２１により相対的に案内され、ロック外カム３７とスライド外カム２５とが摺動する。右側のカム機構２０ｂでは、ヒンジピン３８が第２溝カム２２の端部に配置され、第２溝カム２２の外周に設けられた第１カム突起がロックカム部材のリブ３９と摺動を開始する。これにより、ヒンジピン３８は相対的なスライド移動が規制されて、回動自在に支持される（図５参照）。カム機構２０ｂのこのときの状態を、第２係止位置とする。
【００３６】
さらに把持部３３４ａを引くと、左側のカム機構２０ａは係合を解除される（図２Ｃおよび図６参照）。右側のカム機構２０ｂでは、第２係止位置で第１カム突起がリブ３９に摺動し、スライド外カム２５がロック外カム３７を摺動案内する。そして、右側のカム機構２０ｂが第２係止位置を維持して冷蔵室扉３１１を軸支しながら、冷蔵室扉３１１が左側から開放される。
【００３７】
以上のように、冷蔵庫３０１では、左右両開きの冷蔵室扉３１１を開けるときには、開く側の外方向へ冷蔵室扉３１１のスライド移動を伴う。本実施形態では、このスライド移動をより容易に行うことができるように、把持部３３４ａおよび３３４ｂの構造に工夫が施されている。
【００３８】
（把持部の構成）
以下では、把持部３３４ａおよび３３４ｂのより具体的な構成について説明する。図７および図８には、冷蔵室扉３１１の外観の構成を示す。図９には、図８に示す冷蔵室扉３１１のＡ−Ａ線部分の断面構造を示す。
【００３９】
把持部３３４ａは、冷蔵室扉３１１の左側端部１１ａの下方に設けられている。把持部３３４ｂは、冷蔵室扉３１１の右側端部１１ｂの下方に設けられている。
【００４０】
使用者は、冷蔵室扉３１１を左側から手動で開ける際に、左側端部１１ａに設けられた把持部３３４ａに手を掛ける。そして、冷蔵室扉３１１に対して左方向（すなわち、扉を開ける方向の外側）への力を作用させる。これにより、冷蔵室扉３１１を外方向へスライド移動させて、扉開閉機構１０の円滑な開閉動作を促すことができる。
【００４１】
また、使用者は、冷蔵室扉３１１を右側から手動で開ける際に、右側端部１１ｂに設けられた把持部３３４ｂに手を掛ける。そして、冷蔵室扉３１１に対して右方向（すなわち、扉を開ける方向の外側）への力を作用させる。これにより、冷蔵室扉３１１を外方向へスライド移動させて、扉開閉機構１０の円滑な開閉動作を促すことができる。
【００４２】
把持部３３４ａは、冷蔵室扉３１１の前面部１１ｃに形成されている開口部３３５ａを有している。また、把持部３３４ｂは、冷蔵室扉３１１の前面部１１ｃに形成されている開口部３３５ｂを有している。このような開口部３３５ａおよび３３５ｂが形成されていることで、冷蔵室扉３１１を開けようとする使用者は、冷蔵庫３０１の前方側から扉に対して手を掛けることができる。
【００４３】
開口部３３５ａの内部の凹空間は、主として、第１傾斜面３４４、後方面３４５、および第２傾斜面３４６で空間が規定されている。同様に、開口部３３５ｂの内部の凹空間は、主として、第１傾斜面３４４、後方面３４５、および第２傾斜面３４６で空間が規定されている。図９に示すように、開口部３３５ａと開口部３３５ｂとは、左右対称の形状となっている。
【００４４】
開口部３３５ａの第１傾斜面３４４は、冷蔵室扉３１１の左側端部１１ａ側に位置する。開口部３３５ｂの第１傾斜面３４４は、冷蔵室扉３１１の右側端部１１ｂ側に位置する。いずれの把持部３３４ａおよび３３４ｂにおいても、第１傾斜面３４４は、冷蔵室扉３１１の後方側から前方側へ向かって、扉の中央部（すなわち、中心線Ｏ）の方へ傾斜している。
【００４５】
第１傾斜面３４４は、使用者が冷蔵室扉３１１を開けるときに使用者の手の指が当たることを想定した位置に設けられている。すなわち、第１傾斜面３４４は、把持部３３４ａおよび３３４ｂの手指当接部となる。
【００４６】
また、第１傾斜面３４４は、板状の部材で形成されている。これにより、使用者が開口部３３５ａまたは３３５ｂに手を入れて、第１傾斜面３４４に手指（例えば、人差し指および中指）を当てたときに、残りの手指（例えば、親指）を第１傾斜面３４４とは反対側の面に当てて、板状部材を挟み込むことができる。
【００４７】
後方面３４５は、開口部３３５ａ内に形成されている凹空間の最奥側の面を形成している。本実施形態では、後方面３４５は、冷蔵室扉３１１の前面部１１ｃと略平行となるように形成されているが、別の実施態様では、これに限定はされない。
【００４８】
第２傾斜面３４６は、第１傾斜面３４４に対向する位置に形成されている。扉の開閉動作をスムーズに行うためには、使用者が冷蔵室扉３１１を開けようとして開口部３３５ａまたは３３５ｂ内に手を入れた際に、使用者の手指は、第２傾斜面３４６側ではなく、第１傾斜面３４４側に当接されることが望ましい。そのため、使用者が開口部３３５ａまたは３３５ｂ内に手を入れた際に、使用者の手指が第２傾斜面３４６に引っ掛からないように構成されていることが好ましい。すなわち、第２傾斜面３４６の表面は、滑りやすくなるような加工が施されていることが好ましい。
【００４９】
以下では、図１０を参照しながら第１傾斜面３４４および第２傾斜面３４６の好ましい傾斜角度について説明する。図１０には、冷蔵室扉３１１に備えられた各溝カム２１および２２と把持部３３４ａの各構成部材との位置関係を模式的に示す。図１０は、冷蔵庫３０１の左側端部１１ａ側のカム機構２０ａの一部を示すものである。冷蔵庫３０１の右側端部１１ｂ側のカム機構２０ｂについては、カム機構２０ａと左右対称な構造となっている。
【００５０】
上述したように、本実施形態の冷蔵庫３０１に設けられた扉開閉機構１０には、把持部３３４ａの開口部３３５ａ内の凹空間に、使用者の手指が当たる第１傾斜面３４４が形成されている。第１傾斜面３４４は、冷蔵室扉３１１の前方側へ向かって、扉の中央部の方へ傾斜しているため、使用者が開口部３３５ａから凹空間内に手を入れて第１傾斜面３４４に手指を掛けると、図１０中矢印で示すように、自然に外方への応力が働くことになる。これにより、使用者が意識しなくても、冷蔵室扉３１１を外方にスライドさせることができる。
【００５１】
ここで、閉鎖状態の冷蔵室扉３１１の前面部１１ｃの延伸方向Ｙ（左右方向）に対して垂直な方向をＸ方向と規定する。そして、このＸ方向を基準（０度）とする。また、第１溝カム２１の延在方向をＡとし、第２溝カム２２の延在方向をＢとする（図１０参照）。このとき、基準位置Ｘに対する第１溝カム２１の延伸角度をθ１とし、第２溝カム２２の延伸角度をθ２とする。
【００５２】
そして、第１傾斜面３４４の法線Ｃの基準位置Ｘに対する延伸角度をθ３とする。この延伸角度θ３は、以下の条件を満たすことが好ましい。
θ１≦θ３≦θ２
法線Ｃがこのような角度となるように第１傾斜面３４４の傾斜角度が規定されることで、扉を開けるときに、先ず第２溝カム２２に沿ってヒンジピン３８を移動させる力と、その後、第１溝カム２１に沿って、ヒンジピン３８を移動させる力との両方を、把持部３３４ａにかかる応力から効率よく得ることができる。なお、図１０では、便宜上、第１傾斜面３４４の実際の法線の位置とはずれた位置に法線Ｃを図示している。
【００５３】
より具体的には、第１溝カム２１の延伸角度θ１を、例えば１０度とすることができる。また、第２溝カム２２の延伸角度θ２を、例えば７２度とすることができる。この場合、第１傾斜面３４４の法線Ｃの延伸角度θ３は、１０度以上７２度以下の範囲内の何れかの角度に規定することができる。
【００５４】
また、本実施形態では、第１傾斜面３４４の法線Ｃの延伸角度θ３は、第１溝カム２１の延伸角度θ１よりも第２溝カム２２の延伸角度θ２に近い角度としてもよい。例えば、第１傾斜面３４４の法線Ｃの延伸角度θ３を６５度とすることができる。これにより、先ず第２溝カム２２に沿ってヒンジピン３８を移動させる力を大きくすることができる。そのため、より小さい力で冷蔵室扉３１１を回動可能状態となるまでスライド移動させることができ、使用者がより扉を開けやすくなる。また、第１傾斜面３４４の左右方向の幅が小さくなるため、開口部３３５ａを冷蔵室扉３１１の左側端部１１ａに寄せることが可能となる。これにより、冷蔵庫扉３１１の断熱性能を確保しやすく、また、冷蔵庫扉３１１の外観意匠性を向上できる。
【００５５】
また、第１傾斜面３４４に対向して位置する第２傾斜面３４６は、前面部１１ｃの延伸方向（左右方向）に対して９０度よりも大きい角度を有して傾斜していることが好ましい。すなわち、前面部１１ｃに対する第２傾斜面３４６の傾斜角度θ４は、鈍角となっていることが好ましい。この構成によれば、使用者が開口部３３５ａ内に手を入れた際に、第２傾斜面３４６側に手指を掛けにくい構成とすることができる。そのため、開口部３３５ａ内に手を入れた使用者は、第１傾斜面３４４側に積極的に手指を当接させ、上述したように、自然な動作で冷蔵室扉３１１を外方にスライドさせることができる。
【００５６】
（電動式の扉開閉制御について）
なお、本実施形態にかかる冷蔵庫３０１は、タッチセンサ９１によるタッチ操作によって電動制御で冷蔵室扉３１１の開閉を行うことも可能である。タッチセンサを用いた冷蔵室扉の自動開閉制御については、従来公知の方法で実施することができる。そのため、詳しい説明は省略する。
【００５７】
（第１の実施形態のまとめ）
以上のように、本実施形態にかかる冷蔵庫３０１は、扉開閉機構１０を備えている。扉開閉機構１０は、冷蔵室扉３１１の左右両端部にそれぞれ配置されている少なくとも２つの把持部３３４ａおよび３３４ｂと、冷蔵室扉３１１の左右両側に対称に設けられ、冷蔵室扉３１１と本体部２との係合および離脱を行う２つのカム機構２０ａおよび２０ｂとを備えている。
【００５８】
把持部３３４ａおよび３３４ｂは、扉の前面部１１ｃ側から手を掛けることができるように、前面部１１ｃに形成された開口部３３５ａおよび３３５ｂが設けられている。また、開口部３３５ａおよび３３５ｂ内の空間には、第１傾斜面３４４が設けられている。第１傾斜面３４４は、冷蔵室扉３１１の後方側から前方側へ向かって、扉の中央部（すなわち、中心線Ｏ）の方へ傾斜している。
【００５９】
この構成によれば、使用者は、冷蔵室扉３１１を開ける際に、この把持部３３４ａ（または３３４ｂ）の開口部３３５ａ（または３３５ｂ）内の空間に手を入れ、手指で第１傾斜面３４４を押すことで、扉を開ける方向の外側に向かって力を作用させることができる。したがって、冷蔵室扉３１１をより容易に外方向へスライド移動させて、より操作性のよい扉開閉機構を得ることができる。
【００６０】
〔第２の実施形態〕
続いて、本発明の第２の実施形態について説明する。第２の実施形態では、冷蔵室扉の扉開閉機構に設けられた把持部の構成が、第１の実施形態とは異なっている。把持部以外の構成については、第１の実施形態と同様の構成が適用できる。そこで、本実施形態では、第１の実施形態となる異なる把持部の構成を中心に説明する。
【００６１】
図１１には、第２の実施形態にかかる冷蔵室扉４１１の構成を示す。図１１は、図８のＡ−Ａ線部分に相当する位置における冷蔵室扉４１１の断面構造を示す図である。
【００６２】
第１の実施形態と同様に、冷蔵室扉４１１は、左右何れの端部からも開閉することのできる両開き式の扉である。そのため、冷蔵室扉４１１の左右両側の端部には、冷蔵室扉４１１を開閉する際の取っ手構造として機能する把持部（具体的には、左側の把持部４３４ａおよび右側の把持部４３４ｂ）がそれぞれ設けられている。
【００６３】
把持部４３４ａは、冷蔵室扉４１１の前面部１１ｃに形成されている開口部３３５ａを有している。また、把持部４３４ｂは、冷蔵室扉４１１の前面部１１ｃに形成されている開口部３３５ｂを有している。
【００６４】
開口部３３５ａの内部の凹空間は、主として、第１傾斜面４４４、後方面３４５、および第２傾斜面３４６で空間が規定されている。同様に、開口部３３５ｂの内部の凹空間は、主として、第１傾斜面４４４、後方面３４５、および第２傾斜面３４６で空間が規定されている。
【００６５】
第１傾斜面４４４は、板状の部材で形成されている。そして、この板状の部材の厚さは、扉の前方側よりも後方側の方が厚くなっている。このような構成により、開口部３３５ａまたは３３５ｂ内に手を入れた使用者は、板厚のより大きい後方で板状の部材をつかみにくくなる。そのため、扉を開ける動作を開始する際に、扉を手前内側（板状の部材が延びる方向）に引く動作をしにくくさせることができる。したがって、第１傾斜面４４４に手指をかけて力を加えたときに、手指の押圧力を扉の外方向へより確実に向かわせることができる。
【００６６】
なお、上記の板状の部材のうち、第１傾斜面４４４の表面には、例えば上下方向に延びる畝や溝など、滑り止めの加工や構造を施しても良い。一方で、第１傾斜面４４４とは反対側となる面（対向面）は、滑り止めの加工や構造を施さないことなどによって、第１傾斜面４４４よりも滑り易くする。これにより、手指の押圧力を扉の内方向へは向かいにくくすることができ、手指の押圧力を扉の外方向へより確実に向かわせることができる。
【００６７】
開口部３３５ａおよび３３５ｂ内の凹空間を形成している後方面３４５および第２傾斜面３４６については、第１の実施形態と同様の構成を有している。
【００６８】
〔第３の実施形態〕
続いて、本発明の第３の実施形態について説明する。第３の実施形態では、冷蔵室扉の扉開閉機構に設けられた把持部の構成が、第１の実施形態とは異なっている。把持部以外の構成については、第１の実施形態と同様の構成が適用できる。そこで、本実施形態では、第１の実施形態となる異なる把持部の構成を中心に説明する。
【００６９】
図１２には、第３の実施形態にかかる冷蔵室扉６１１の左側の把持部６３４ａの構成を示す。
【００７０】
第１の実施形態と同様に、冷蔵室扉６１１は、左右何れの端部からも開閉することのできる両開き式の扉である。そのため、冷蔵室扉６１１の左右両側の端部には、冷蔵室扉６１１を開閉する際の取っ手構造として機能する把持部（具体的には、左側の把持部６３４ａ、および、図示はしていないが右側の把持部６３４ｂ）がそれぞれ設けられている。
【００７１】
把持部６３４ａは、冷蔵室扉６１１の前面部１１ｃに形成されている開口部３３５ａを有している。図示はしていないが、右側の把持部６３４ｂも同様の構成を有している。
【００７２】
開口部３３５ａの内部の凹空間は、主として、第１傾斜面６４４、後方面３４５、および第２傾斜面３４６で空間が規定されている。
【００７３】
図１２に示すように、第１傾斜面６４４は、開口部３３５ａ内の空間内において、凸形状に盛り上がった湾曲面を有している。このような構成により、開口部３３５ａ内に手を入れた使用者は、扉を開ける動作を開始する際に、手指の腹を第１傾斜面６４４に固定しやすくなる。これにより、手指を握る力を、第１傾斜面６４４を押す方向の力へ変化させやすくなる。したがって、第１傾斜面６４４に手指をかけて力を加えたときに、手指の押圧力を扉の外方向へより確実に向かわせることができる。
【００７４】
開口部３３５ａ内の凹空間を形成している後方面３４５および第２傾斜面３４６については、第１の実施形態と同様の構成を有している。
【００７５】
〔第４の実施形態〕
続いて、本発明の第４の実施形態について説明する。第４の実施形態では、冷蔵室扉の扉開閉機構に設けられた把持部の構成が、第１の実施形態とは異なっている。把持部以外の構成については、第１の実施形態と同様の構成が適用できる。そこで、本実施形態では、第１の実施形態となる異なる把持部の構成を中心に説明する。
【００７６】
図１３には、第４の実施形態にかかる冷蔵室扉５１１の構成を示す。図１３は、図８のＡ−Ａ線部分に相当する位置における冷蔵室扉５１１の断面構造を示す図である。
【００７７】
第１の実施形態と同様に、冷蔵室扉５１１は、左右何れの端部からも開閉することのできる両開き式の扉である。そのため、冷蔵室扉５１１の左右両側の端部には、冷蔵室扉５１１を開閉する際の取っ手構造として機能する把持部（具体的には、左側の把持部５３４ａおよび右側の把持部５３４ｂ）がそれぞれ設けられている。
【００７８】
把持部５３４ａは、冷蔵室扉５１１の前面部１１ｃに形成されている開口部３３５ａを有している。また、把持部５３４ｂは、冷蔵室扉５１１の前面部１１ｃに形成されている開口部３３５ｂを有している。
【００７９】
開口部３３５ａの内部の凹空間は、主として、第１傾斜面３４４、後方面３４５、および第２傾斜面３４６で空間が規定されている。同様に、開口部３３５ｂの内部の凹空間は、主として、第１傾斜面３４４、後方面３４５、および第２傾斜面３４６で空間が規定されている。凹空間を形成している第１傾斜面３４４、後方面３４５、および第２傾斜面３４６の構成は、第１の実施形態と略同じ構成である。
【００８０】
但し、本実施形態では、第２傾斜面３４６と前面部１１ｃとの境界部分が、滑らかな曲面５４６Ｒとなっている。これにより、扉を開けようとする使用者が開口部３３５ａ内に手を入れて、第１傾斜面３４４ではなく、第２傾斜面３４６側に手指を掛けようとしたときに、手指が曲面５４６Ｒ上を滑ることで、第２傾斜面３４６側により手を掛けにくい構成とすることができる。そのため、開口部３３５ａ内に手を入れた使用者は、第１傾斜面３４４側に積極的に手指を当接させ、上述したように、自然な動作で冷蔵室扉３１１を外方にスライドさせることができる。
【００８１】
〔第５の実施形態〕
続いて、本発明の第５の実施形態について説明する。第５の実施形態では、取っ手部材（取っ手構造）が冷蔵庫の扉に着脱可能に構成されている例について説明する。
【００８２】
図１４には、第５の実施形態にかかる冷蔵庫１の冷蔵室扉１１と、冷蔵室扉１１に取り付けられる取っ手部材（取っ手構造）７００とを分解した状態で示す。図１５には、取っ手部材７００が取り付けられていない状態の冷蔵庫１の外観を示す。
【００８３】
冷蔵庫１は、左右両開きの冷蔵室扉１１を備えている。冷蔵庫１の基本的な構成は、第１の実施形態で説明した冷蔵庫３０１と同じである。なお、冷蔵庫１では、冷蔵室扉１１に設けられた把持部（すなわち、把持部３４ａおよび３４ｂ）の構成が冷蔵庫３０１とは異なっている。
【００８４】
左側の把持部３４ａは、冷蔵室扉１１の左側端部１１ａに設けられている。また、右側の把持部３４ｂは、冷蔵室扉１１の右側端部１１ｂに設けられている。把持部３４ａは、冷蔵室扉１１の左側端部１１ａを構成する端部部材３１の開口部３２に把持部形成部材３４が取り付けられることによって、形成される。把持部形成部材３４は凹部４３を有している（図１６（ｂ）参照）。右側の把持部３４ｂも、左側の把持部３４ａと同様の構成を有している。
【００８５】
取っ手部材７００は、例えば、樹脂材料などのある程度の可撓性を有する材料で形成されている。取っ手部材７００は、主な構成部材として、中央支持部材７１０、左側把持部７３４ａ、および右側把持部７３４ｂを有している。
【００８６】
中央支持部材７１０は、左側把持部７３４ａと右側把持部７３４ｂとを連結している板状の部材である。左側把持部７３４ａは、冷蔵庫１に取り付けられたときに、左側の端部に位置し、冷蔵室扉１１を左側から開けるときの把持部となる。右側把持部７３４ｂは、冷蔵庫１に取り付けられたときに、右側の端部に位置し、冷蔵室扉１１を右側から開けるときの把持部となる。
【００８７】
左側把持部７３４ａと右側把持部７３４ｂとは、左右対称の構成を有している。左側把持部７３４ａおよび右側把持部７３４ｂはそれぞれ、傾斜面形成部７４４、後方板状部７５１、および固定部７５２などを有している。
【００８８】
傾斜面形成部７４４は、略板状に形成されており、内側に傾斜面７４４ａを有している。傾斜面７４４ａは、使用者が冷蔵室扉１１を開けるときに使用者の手の指が当たることを想定した位置に設けられている。すなわち、傾斜面７４４ａは、把持部７３４ａおよび７３４ｂの手指当接部となる。
【００８９】
傾斜面７４４ａは、第１の実施形態で説明した第１傾斜面３４４などと同様に、冷蔵室扉１１に取り付けられた状態で、冷蔵室扉１１の後方側から前方側へ向かって、扉の中央部の方へ傾斜している。
【００９０】
後方板状部７５１は、傾斜面形成部７４４から後方へ延びる略板状の部材である。固定部７５２は、後方板状部７５１の内側の面から中央支持部材７１０の方へ突き出した凸部を有している。
【００９１】
図１６（ａ）および（ｂ）には、取っ手部材７００が取り付けられている状態の冷蔵室扉１１を示す。
【００９２】
取っ手部材７００を冷蔵室扉１１に取り付けた状態では、固定部７５２の凸部は、冷蔵室扉１１の把持部形成部材３４の凹部４３内に嵌め込まれている。すなわち、取っ手部材７００の固定部７５２を、冷蔵室扉１１の各端部１１ａおよび１１ｂに形成された凹部４３へ嵌め込むことで、取っ手部材７００を冷蔵室扉１１に固定した状態で取り付けることができる。
【００９３】
以上のように、本実施形態にかかる冷蔵庫１の冷蔵室扉１１には、取っ手部材７００が取り付けられている。取っ手部材７００が取り付けられることで、冷蔵室扉１１の左右両端部には、左側把持部７３４ａまたは右側把持部７３４ｂが配置される。これらの把持部７３４ａおよび７３４ｂは、冷蔵庫１本体に設けられた把持部３４ａおよび３４ｂの代わりに、扉を開閉する際の取っ手として機能する。
【００９４】
把持部７３４ａおよび７３４ｂには、前面部１１ｃから前方へ突出する傾斜面形成部７４４が設けられている。これにより、扉を開けようとする使用者は、扉の前面部１１ｃ側から把持部７３４ａおよび７３４ｂに手を掛けることができる。また、傾斜面形成部７４４の内側には、傾斜面７４４ａが形成されている。傾斜面７４４ａは、冷蔵室扉１１の後方側から前方側へ向かって、扉の中央部の方へ傾斜している。
【００９５】
この構成によれば、使用者は、冷蔵室扉１１を開ける際に、この把持部７３４ａまたは７３４ｂの前方内側から傾斜面７４４ａに手を掛け、手指で傾斜面７４４ａを押すことで、扉を開ける方向の外側に向かって力を作用させることができる。したがって、冷蔵室扉１１をより容易に外方向へスライド移動させて、より操作性のよい扉開閉機構を得ることができる。
【００９６】
また、冷蔵庫１本体に設けられた把持部３４ａおよび３４ｂの位置や形状などが、使用者の体格や癖などにより使いづらい状態であった場合に、取っ手部材７００を取り付けてもよい。これにより、冷蔵庫１本体に設けられた把持部３４ａおよび３４ｂの代わりに、取っ手部材７００の把持部７３４ａおよび７３４ｂが扉を開閉する際の取っ手として機能する。したがって、取っ手部材７００の把持部７３４ａおよび７３４ｂの位置や形状を種々に異ならせて、多種のバリエーション構造として商品展開してもよい。これにより、使用者が、自身の好みに応じて取っ手部材７００を選択することができる。そのため、使用者にとって利便性の高い把持部の構成を提供することができる。
【００９７】
〔第６の実施形態〕
続いて、本発明の第６の実施形態について説明する。第６の実施形態では、冷蔵室扉に取り付けられる取っ手部材（取っ手構造）の構成が、第５の実施形態とは異なっている。取っ手部材以外の構成については、第５の実施形態と同様の構成が適用できる。そこで、本実施形態では、第５の実施形態となる異なる構成を中心に説明する。
【００９８】
図１７（ａ）には、第６の実施形態にかかる冷蔵庫１の冷蔵室扉１１の外観を示す。この図では、取っ手部材８００が取り付けられている状態の冷蔵室扉１１を示す。図１７（ｂ）には、図１７（ａ）に示す冷蔵室扉１１のＡ−Ａ線部分の断面構成を示す。図１８には、取っ手部材８００単体の外観を示す。
【００９９】
取っ手部材８００は、例えば、樹脂材料などのある程度の可撓性を有する材料で形成されている。取っ手部材８００は、主な構成部材として、中央板状部材８１０、左側把持部８３４ａ、および右側把持部８３４ｂを有している。第５の実施形態では、取っ手部材７００は、一体的に成形された樹脂部材であったが、本実施形態では、取っ手部材８００を構成している中央板状部材８１０、左側把持部８３４ａ、および右側把持部８３４ｂが、それぞれ別部材で構成されている。
【０１００】
中央板状部材８１０は、左側把持部８３４ａと右側把持部８３４ｂとを連結している板状の部材である。中央板状部材８１０の上端部および下端部には、連結軸部８１１が設けられている。連結軸部８１１の左側端部には、左側把持部８３４ａが連結されている。連結軸部８１１の右側端部には、右側把持部８３４ｂが連結されている。
【０１０１】
左側把持部８３４ａは、冷蔵庫１に取り付けられたときに、左側の端部に位置し、冷蔵室扉１１を左側から開けるときの把持部となる。右側把持部８３４ｂは、冷蔵庫１に取り付けられたときに、右側の端部に位置し、冷蔵室扉１１を右側から開けるときの把持部となる。
【０１０２】
左側把持部８３４ａと右側把持部８３４ｂとは、左右対称の構成を有している。左側把持部８３４ａおよび右側把持部８３４ｂはそれぞれ、傾斜面形成部８４４、後方板状部８５１、固定部８５２、および連結部８５３などを有している。
【０１０３】
傾斜面形成部８４４は、略板状に形成されており、内側に傾斜面８４４ａを有している。傾斜面８４４ａは、使用者が冷蔵室扉１１を開けるときに使用者の手の指が当たることを想定した位置に設けられている。
【０１０４】
傾斜面８４４ａは、第１の実施形態で説明した第１傾斜面３４４などと同様に、冷蔵室扉１１に取り付けられた状態で、冷蔵室扉１１の後方側から前方側へ向かって、扉の中央部の方へ傾斜している。
【０１０５】
後方板状部８５１は、傾斜面形成部８４４から後方へ延びる略板状の部材である。固定部８５２は、後方板状部８５１の内側の面から中央板状部材８１０の方へ突き出した凸部を有している。
【０１０６】
連結部８５３は、中央板状部材８１０との接続部分を構成している。この連結部８５３を、中央板状部材８１０の連結軸部８１１へ差し込み、ビス８５４などで固定することで、中央板状部材８１０に各把持部８３４ａおよび８３４ｂを固定させることができる。
【０１０７】
取っ手部材８００を冷蔵室扉１１に取り付けた状態では、固定部８５２の凸部は、冷蔵室扉１１の把持部形成部材３４の凹部４３内に嵌め込まれている。すなわち、取っ手部材８００の固定部８５２を、冷蔵室扉１１の各端部１１ａおよび１１ｂに形成された凹部４３へ嵌め込むことで、取っ手部材８００を冷蔵室扉１１に固定した状態で取り付けることができる。
【０１０８】
以上のように、本実施形態にかかる冷蔵庫１の冷蔵室扉１１には、取っ手部材８００が取り付けられている。取っ手部材８００が取り付けられることで、冷蔵室扉１１の左右両端部には、左側把持部８３４ａまたは右側把持部８３４ｂが配置される。これらの把持部８３４ａおよび８３４ｂは、冷蔵庫１本体に設けられた把持部３４ａおよび３４ｂの代わりに、扉を開閉する際の取っ手として機能する。
【０１０９】
〔第７の実施形態〕
続いて、本発明の第７の実施形態について説明する。第７の実施形態では、冷蔵室扉に取り付けられる取っ手部材（取っ手構造）の構成が、第５の実施形態とは異なっている。取っ手部材以外の構成については、第５の実施形態と同様の構成が適用できる。そこで、本実施形態では、第５の実施形態となる異なる構成を中心に説明する。
【０１１０】
図１９（ａ）には、第７の実施形態にかかる冷蔵庫１の冷蔵室扉１１の外観を示す。この図では、取っ手部材９００が取り付けられている状態の冷蔵室扉１１を示す。図１９（ｂ）には、図１９（ａ）に示す冷蔵室扉１１のＡ−Ａ線部分の断面構成を示す。図１９には、取っ手部材９００単体の外観を示す。
【０１１１】
第５の実施形態では、１つの取っ手部材７００が、２つの把持部７３４ａおよび７３４を有している構成について説明した。これに対して、本実施形態では、左側の把持部９３４ａを形成する取っ手部材９００と、右側の把持部９３４ｂを形成する取っ手部材９００とが、別々の部材で構成されている。
【０１１２】
左側の把持部９３４ａを形成する取っ手部材９００と、右側の把持部９３４ｂを形成する取っ手部材９００とは、同一の形状を有している。そして、冷蔵室扉１１に対して、互いに左右対称の位置関係になるように取り付けられる。
【０１１３】
図２０に示すように、取っ手部材９００は、主として、傾斜面形成部材９４４と、固定部形成部材９５０とで構成されている。本実施形態では、傾斜面形成部材９４４と、固定部形成部材９５０とは、別個の部材として構成されており、ビス９５４などの連結部材によって互いに接続されて一つの構成部品（すなわち、取っ手部材９００）を形成している。
【０１１４】
傾斜面形成部材９４４は、傾斜面９４４ａを形成している本体部分と、リブ９４５とを有している。傾斜面９４４ａは、使用者が冷蔵室扉１１を開けるときに使用者の手の指が当たることを想定した位置に設けられている。すなわち、傾斜面９４４ａは、把持部９３４ａおよび９３４ｂの手指当接部となる。
【０１１５】
傾斜面９４４ａは、第１の実施形態で説明した第１傾斜面３４４などと同様に、冷蔵室扉１１に取り付けられた状態で、冷蔵室扉１１の後方側から前方側へ向かって、扉の中央部の方へ傾斜している。
【０１１６】
固定部形成部材９５０は、板状部９５１と、突起部９５２とを有している。板状部９５１は、傾斜面形成部材９４４から後方へ延びている。突起部９５２は、板状部９５１の内側の面から突き出すように形成されている。
【０１１７】
取っ手部材９００を冷蔵室扉１１に取り付けた状態では、突起部９５２は、冷蔵室扉１１の把持部形成部材３４の凹部４３内に嵌め込まれている。すなわち、２つの取っ手部材９００の突起部９５２を、冷蔵室扉１１の各端部１１ａおよび１１ｂに形成された凹部４３へそれぞれ嵌め込むことで、取っ手部材９００を冷蔵室扉１１に固定した状態で取り付けることができる。
【０１１８】
以上のように、本実施形態にかかる冷蔵庫１の冷蔵室扉１１には、２つの取っ手部材９００が取り付けられている。２つの取っ手部材９００が取り付けられることで、冷蔵室扉１１の左右の端部には、把持部９３４ａおよび把持部９３４ｂが形成される。これらの把持部９３４ａおよび９３４ｂは、冷蔵庫１本体に設けられた把持部３４ａおよび３４ｂの代わりに、扉を開閉する際の取っ手として機能する。
【０１１９】
把持部９３４ａおよび９３４ｂには、冷蔵室扉１１の前面部１１ｃから前方へ突出する傾斜面形成部材９４４が設けられている。これにより、扉を開けようとする使用者は、扉の前面部１１ｃ側から把持部９３４ａおよび９３４ｂに手を掛けることができる。また、傾斜面形成部材９４４の内側には、傾斜面９４４ａが形成されている。傾斜面９４４ａは、冷蔵室扉１１の後方側から前方側へ向かって、扉の中央部の方へ傾斜している。
【０１２０】
この構成によれば、使用者は、冷蔵室扉１１を開ける際に、この把持部９３４ａまたは９３４ｂの前方内側から傾斜面９４４ａに手を掛け、手指で傾斜面９４４ａを押すことで、扉を開ける方向の外側に向かって力を作用させることができる。したがって、冷蔵室扉１１をより容易に外方向へスライド移動させて、より操作性のよい扉開閉機構を得ることができる。
【０１２１】
また、この構成によれば、冷蔵室扉１１の左右の把持部３４ａおよび３４ｂのうち、使用者がよく利用する側または不便と感じる側のみに、取っ手部材９００を取り付けることができる。そのため、冷蔵庫１の外観意匠性と冷蔵庫扉１１の利便性とを両立しやすくなる。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２３】
１      ：冷蔵庫
２      ：本体部
１０    ：扉開閉機構
１１    ：冷蔵室扉
３０１  ：冷蔵庫
３１１  ：冷蔵室扉（扉）
３３４ａ：把持部
３３４ｂ：把持部
３３５ａ：開口部
３３５ｂ：開口部
３４４  ：第１傾斜面（扉の中央部の方へ傾斜する傾斜面）
３４６  ：第２傾斜面（傾斜面に対向する面）
４１１  ：冷蔵室扉（扉）
４３４ａ：把持部
４３４ｂ：把持部
５１１  ：冷蔵室扉（扉）
５３４ａ：把持部
５３４ｂ：把持部
６１１  ：冷蔵室扉（扉）
６３４ａ：把持部
７００  ：取っ手部材（取っ手構造）
７３４ａ：把持部
７３４ｂ：把持部
７４４ａ：傾斜面（扉の中央部の方へ傾斜する傾斜面）
８００  ：取っ手部材（取っ手構造）
８３４ａ：把持部
８３４ｂ：把持部
９００  ：取っ手部材（取っ手構造）
９３４ａ：把持部
９３４ｂ：把持部
【図１】
2020133919.tif 000003
【図２Ａ】
2020133919.tif 000004
【図２Ｂ】
2020133919.tif 000005
【図２Ｃ】
2020133919.tif 000006
【図３】
2020133919.tif 000007
【図４】
2020133919.tif 000008
【図５】
2020133919.tif 000009
【図６】
2020133919.tif 000010
【図７】
2020133919.tif 000011
【図８】
2020133919.tif 000012
【図９】
2020133919.tif 000013
【図１０】
2020133919.tif 000014
【図１１】
2020133919.tif 000015
【図１２】
2020133919.tif 000016
【図１３】
2020133919.tif 000017
【図１４】
2020133919.tif 000018
【図１５】
2020133919.tif 000019
【図１６】
2020133919.tif 000020
【図１７】
2020133919.tif 000021
【図１８】
2020133919.tif 000022
【図１９】
2020133919.tif 000023
【図２０】
2020133919.tif 000024